(57)【要約】      （修正有）【課題】ＤＶＲが内蔵バッテリーから電源の供給を受ける場合、節電モードで動作して外部環境変化を感知し、映像データに記録する動作を行う時、実行動作によって差等的にバッテリー電源を利用して長期間動作するようにしたＤＶＲの消費電力節減システムを提供する。【解決手段】節電モードに設定された場合、電源及びシステムコントロール部は、電源部がバッテリー電源の入力を受ければ、予め設定された時間中システムにスタンバイモードに必要な電源だけ供給して、予め設定された時間が経過すればカメラ部とデータ圧縮部とモーション感知部にバッテリー電源を供給するように構成され、記録装置部は、電源及びシステムコントロール部によってバッテリー電源が供給される時間中モーション感知部で映像データに関する動きが感知されれば記録部にバッテリー電源を供給して予め設定された時間中映像データを記録する。【選択図】図１
2011078086.tif 000002
【特許請求の範囲】
【請求項１】
外部映像を入力するカメラ部と、前記カメラ部から映像信号の入力を受けて映像データで圧縮するデータ圧縮部と、前記映像データで動きを感知するモーション感知部と、前記圧縮された映像データを記録する記録部で構成された記録装置部と、前記カメラ部と前記記録装置部に電源を供給する電源部と、前記カメラ部と前記記録装置部に対する電源供給を制御する電源及びシステムコントロール部と、を含んで構成され、前記電源部は外部電源とバッテリー電源の中でいずれか一つの電源の入力を受けるように構成され、前記電源及びシステムコントロール部は前記電源部がバッテリー電源の入力を受ければ予め設定された時間中システムにスタンバイモードに必要な電源だけ供給して前記予め設定された時間が経過すれば前記カメラ部と前記データ圧縮部と前記モーション感知部に前記バッテリー電源を供給するように構成され、前記記録装置部は前記電源及びシステムコントロール部によって前記バッテリー電源が供給される時間中前記モーション感知部で映像データに関する動きが感知されれば前記記録部に前記バッテリー電源を供給して予め設定された時間中前記映像データを記録するように構成されるＤＶＲの消費電力節減システム。
【請求項２】
請求項１において、前記モーション感知部がモーション感知機能をカメラから入力される映像データを利用しないで別途の外部センサーを利用可能に構成され、前記電源及びシステムコントロール部は前記電源部がバッテリー電源の入力を受けて予め設定された時間が特定時間（０秒）なら前記モーション感知部に前記バッテリー電源を供給するように構成され、前記電源及びシステムコントロール部は前記モーション感知部で動きが感知されれば前記カメラ部、前記データ圧縮部、前記記録部に前記バッテリー電源を供給して予め設定された時間中映像データを記録するように構成されるＤＶＲの消費電力節減システム。
【請求項３】
請求項１又は２において、前記電源及びシステムコントロール部は前記電源部が外部電源の入力を受ければバッテリーに外部電源を供給して充電させて前記カメラ部と前記記録装置部に外部電源を供給するように構成され、前記記録装置部は前記電源及びシステムコントロール部によって前記外部電源が供給される時間中前記モーション感知部で前記映像データに関する動きが感知されれば前記記録部にとって予め設定された時間中前記映像データを記録するように構成されるＤＶＲの消費電力節減システム。
【請求項４】
外部映像を入力するカメラ部と、前記カメラ部から映像信号の入力を受けて映像データで圧縮するデータ圧縮部と、前記映像データで動きを感知するモーション感知部と、前記圧縮された映像データを記録する記録部で構成された記録装置部と、前記カメラ部と前記記録装置部に電源を供給する電源部と、前記カメラ部と前記記録装置部に対する電源供給を制御する電源及びシステムコントロール部と、を含んで構成され、前記電源部は外部電源とバッテリー電源の中でいずれか一つの電源の入力を受けるように構成され、前記電源及びシステムコントロール部はノーマルモード又は節電モードの中から節電モードに設定された場合予め設定された時間中システムにスタンバイモードに必要な電源だけ供給して前記予め設定された時間が経過すれば前記カメラ部と前記データ圧縮部と前記モーション感知部に前記電源を供給するように構成され、前記記録装置部は前記電源及びシステムコントロール部によって前記電源を供給受ける時間中前記モーション感知部で映像データに関する動きが感知されれば前記記録部に前記電源を供給して予め設定された時間中前記映像データを記録するように構成されるＤＶＲの消費電力節減システム。
【請求項５】
請求項４において、前記モーション感知部がモーション感知機能をカメラから入力される映像データを利用しないで別途の外部センサーを利用可能に構成され、前記電源及びシステムコントロール部はノーマルモード又は節電モードの中から節電モードに設定された場合システムにスタンバイモードに必要な電源だけ供給して、予め設定された時間が特定時間（０秒）の場合モーション感知部に前記電源を供給するように構成され、前記モーション感知部で動きが感知されれば前記カメラ部と前記データ圧縮部、前記記録部に前記電源を供給して予め設定された時間中前記映像データを記録するように構成されるＤＶＲの消費電力節減システム。
【請求項６】
（ａ）電源及びシステムコントロール部が外部電源とバッテリー電源の中でいずれか一つの電源の供給を受けるかどうかを判断してバッテリー電源の場合節電モードの実行を始める段階と、（ｂ）前記電源及びシステムコントロール部は予め設定された時間中システムにスタンバイモードに必要な電源だけ供給する段階と、（ｃ）前記電源及びシステムコントロール部は前記予め設定された時間が経過すればカメラ部と記録装置部を構成するデータ圧縮部及びモーション感知部に前記バッテリー電源を供給する段階と、（ｄ）前記記録装置部は前記電源及びシステムコントロール部によって前記バッテリー電源が供給される時間中前記モーション感知部で映像データに関する動きが感知されるかどうかを判断する段階と、（ｅ）前記記録装置部が前記映像データに対して動き感知されれば記録部に前記バッテリー電源を供給して予め設定された時間中前記映像データを記録する段階と、を含んで構成されるＤＶＲの消費電力節減方法。
【請求項７】
請求項６において、前記（ｃ）段階は前記電源及びシステムコントロール部は前記予め設定された時間が特定時間（０秒）なのかを判断して特定時間（０秒）ならモーション感知部に前記バッテリー電源を供給する段階と、前記（ｄ）段階は前記モーション感知部に前記バッテリー電源が供給される時間中前記モーション感知部で動きが感知されるかどうかを判断する段階と、前記（ｅ）段階は前記記録装置部が前記モーション感知部で動きが感知されれば前記カメラ部と前記データ圧縮部及び前記記録部に前記バッテリー電源を供給して予め設定された時間中前記映像データを記録する段階と、を含んで構成されるＤＶＲの消費電力節減方法。
【請求項８】
請求項６又は７において、前記（ａ）段階は前記電源及びシステムコントロール部が外部電源の入力を受ければバッテリーに外部電源を供給して充電させてカメラ部と記録装置部に外部電源を供給する段階を含んで構成され、前記（ｄ）段階は前記記録装置部が前記電源及びシステムコントロール部によって前記外部電源を供給受ける時間中前記モーション感知部で動きが感知されるかどうかを判断する段階と、前記（ｅ）段階はモーション感知部で動きが感知されれば前記カメラ部と前記データ圧縮部及び前記記録部に前記外部電源を供給して予め設定された時間中前記映像データを記録する段階と、を含んで構成されるＤＶＲの消費電力節減方法。
【請求項９】
（Ａ）電源部が外部電源とバッテリー電源の中でどの一つの電源を入力受ける段階と、（Ｂ）電源及びシステムコントロール部はノーマルモード又は節電モードの中から節電モードに設定された場合予め設定された時間中システムにスタンバイモードに必要な電源だけ供給する段階と、（Ｃ）前記予め設定された時間が経過すれば前記電源及びシステムコントロール部がカメラ部と記録装置部を構成するデータ圧縮部及びモーション感知部に前記電源を供給する段階と、（Ｄ）前記記録装置部は前記電源及びシステムコントロール部によって前記電源を供給受ける時間中前記モーション感知部で映像データに対して動きが感知されれば記録部に前記電源を供給して予め設定された時間中前記映像データを記録する段階と、を含んで構成されるＤＶＲの消費電力節減方法。
【請求項１０】
請求項９において、前記（Ｃ）段階は前記電源及びシステムコントロール部は前記予め設定された時間が特定時間（０秒）なのかを判断して特定時間（０秒）ならモーション感知部に前記電源を供給する段階と、前記（Ｄ）段階はモーション感知部で動きが感知されれば前記カメラ部と前記データ圧縮部及び前記記録部に前記外部電源を供給して予め設定された時間中前記映像データを記録する段階と、を含んで構成されるＤＶＲの消費電力節減方法。
【発明の詳細な説明】
【技術分野】
【０００１】  本発明はＤＶＲ（Ｄｉｇｉｔａｌ  Ｖｉｄｅｏ  Ｒｅｃｏｒｄｅｒ：  デジタルビデオ録画装置）の消費電力節減システム及び方法に関し、特にＤＶＲが内蔵バッテリーから電源を供給受ける場合節電モードで動作して外部環境変化を感知し映像データに記録する動作を行う時実行動作によって差等的にバッテリー電源を利用して長期間動作するようにしたＤＶＲの消費電力節減システム及び方法に関する。
【背景技術】
【０００２】  従来の防犯用ＤＶＲを構成する装置である外部環境を撮影するカメラ部と映像データを記録する記録装置部は、それぞれ異なる場所に設置されている。カメラ部は通常記録装置部とは違う別途の電源の供給を受けて、それぞれ他の場所に設置されたカメラ部と記録装置部はお互いに信号線で連結されて、記録装置部はカメラ部から映像信号の入力を受けて保存媒体に記録する。【０００３】  従来の防犯用ＤＶＲの場合には、カメラ部に別途の電源を供給しなければならないので電源工事が必要で、カメラ部と記録装置部の間に信号線を連結しなければならないので高価な設置費が必要となる。そして設置工事の難しさなどから一般人が防犯用ＤＶＲを容易に設置しにくい問題があった。【０００４】  車用ＤＶＲはデータ圧縮技術を採用して装置の小型化を実現してカメラ部と記録装置部を一体化させて二つの装置間の長い信号線をなくしている。車用ＤＶＲは車が走行中の時の車のバッテリー電源を利用してカメラ部と記録装置部を動作させて走行中に発生する交通事故に関する映像情報を保存媒体に保存して必要の時に提供することができる。従来の車用ＤＶＲは高価な装置にもかかわらず高い消費電力によってバッテリー電源で長期間動作するのが不可能であった。従って、車の走行中の時はＤＶＲの記録動作が可能であるが駐車中ではＤＶＲの記録動作が不可能であるため、駐車中に発生する車損傷や盗難事故に対する映像情報を提供することができない問題があった。
【発明の概要】
【発明が解決しようとする課題】
【０００５】  本発明の目的はＤＶＲが内蔵バッテリーから電源の供給を受ける場合節電モードで動作して予め設定された時間毎にモーション感知機能を動作させ、外部環境変化が感知される場合記録部を動作させ映像情報を記録することで実行動作によって差等的にバッテリー電源を利用して長期間動作することができるＤＶＲの消費電力節減システム及び方法を提供することにある。
【課題を解決するための手段】
【０００６】  本発明によるＤＶＲの消費電力節減システムは外部映像を入力するカメラ部と、カメラ部から映像信号の入力を受けて映像データに圧縮するデータ圧縮部と、映像データで動きを感知し又は外部センサーで環境変化を感知するモーション感知部と、圧縮された映像データを記録する記録部で構成された記録装置部と、カメラ部と記録装置部に電源を供給する電源部と、カメラ部と記録装置部に対する電源供給を制御する電源及びシステムコントロール部と、を含んで構成され、電源部は外部電源とバッテリー電源の中でいずれか一つの電源の入力を受けるように構成され、節電モードに設定された場合電源及びシステムコントロール部は電源部がバッテリー電源を入力受ければ予め設定された時間中システムにスタンバイモードに必要な電源だけ供給して予め設定された時間が経過すればカメラ部とデータ圧縮部とモーション感知部にバッテリー電源を供給するように構成され、記録装置部は電源及びシステムコントロール部によってバッテリー電源が供給される時間中モーション感知部で映像データに関する動きが感知されれば記録部にバッテリー電源を供給して予め設定された時間中前記映像データを記録するように構成されている。【０００７】  本発明によるＤＶＲの消費電力節減システムでは、電源及びシステムコントロール部は電源部が外部電源の入力を受ければバッテリーに外部電源を供給して充電させてカメラ部と記録装置部に外部電源を供給するように構成され、前記記録装置部は前記電源及びシステムコントロール部によって外部電源が供給される時間中モーション感知部で映像データに関する動きが感知されれば記録部にとって予め設定された時間中前記映像データを記録するように構成されている。【０００８】  本発明によるＤＶＲの消費電力節減システムは、外部映像を入力するカメラ部と、カメラ部から映像信号を入力受けて映像データで圧縮するデータ圧縮部と、映像データで動きを感知し又は外部センサーで環境変化を感知するモーション感知部と、圧縮された映像データを記録する記録部で構成された記録装置部と、カメラ部と記録装置部に電源を供給する電源部と、カメラ部と記録装置部に対する電源供給を制御する電源及びシステムコントロール部と、を含んで構成され、電源部は外部電源とバッテリー電源の中でいずれか一つの電源の入力を受けるように構成され、電源及びシステムコントロール部はノーマルモード又は節電モードの中から節電モードに設定された場合予め設定された時間中システムにスタンバイモードに必要な電源だけ供給して予め設定された時間が経過すれば前記カメラ部と前記データ圧縮部と前記モーション感知部に電源を供給するように構成され、前記記録装置部は前記電源及びシステムコントロール部によって電源を供給受ける時間中前記モーション感知部で映像データに関する動きが感知されれば前記記録部に電源を供給して予め設定された時間中前記映像データを記録するように構成されている。【０００９】  本発明によるＤＶＲの消費電力節減方法は、（ａ）電源及びシステムコントロール部が外部電源とバッテリー電源の中でどの一つの電源の供給を受けるかどうかを判断してバッテリー電源の場合節電モードの実行を始める段階と、���ｂ）前記電源及びシステムコントロール部は予め設定された時間中システムにスタンバイモードに必要な電源だけ供給する段階と、（ｃ）前記電源及びシステムコントロール部は予め設定された時間が経過すればカメラ部と記録装置部を構成するデータ圧縮部及びモーション感知部に前記バッテリー電源を供給する段階と、（ｄ）前記記録装置部は前記電源及びシステムコントロール部によって前記バッテリー電源が供給される時間中前記モーション感知部で映像データに動きが感知されるかどうかを判断する段階と、（ｅ）記録装置部が映像データに関する動きが感知されれば記録部に前記バッテリー電源を供給して予め設定された時間中前記映像データを記録する段階と、を含んで構成されている。【００１０】  本発明によるＤＶＲの消費電力節減方法は、（ａ）段階は前記電源及びシステムコントロール部が前記外部電源の入力を受ければバッテリーに前記外部電源を供給して充電させて前記カメラ部と前記記録装置部に前記外部電源を供給する段階を含んで構成され、（ｄ）段階は前記記録装置部が前記電源及びシステムコントロール部によって前記外部電源を供給受ける時間中前記モーション感知部で前記映像データに関する動きが感知されれば記録部で予め設定された時間中前記映像データを記録するように制御する段階を含んで構成されていることを特徴にしている。【００１１】  本発明によるＤＶＲの消費電力節減方法は、電源部が外部電源とバッテリー電源の中でどの一つの電源の入力を受ける段階と、電源及びシステムコントロール部はノーマルモード又は節電モードの中から節電モードに設定された場合予め設定された時間中システムにスタンバイモードに必要な電源だけ供給する段階と、予め設定された時間が経過すれば前記電源及びシステムコントロール部がカメラ部と記録装置部を構成するデータ圧縮部及びモーション感知部に電源を供給する段階と、前記記録装置部は前記電源及びシステムコントロール部によって電源を供給受ける時間中前記モーション感知部で映像データに関する動きが感知されれば記録部に電源を供給して予め設定された時間中前記映像データを記録する段階と、を含んで構成されている。
【発明の効果】
【００１２】  本発明によれば、従来の防犯用ＤＶＲの問題点だったカメラ部への電源供給問題を解決して、カメラ部と記録装置部の間の信号線をなくすことで装置価格と設置費用を節減させて装置設置が簡単で誰も易しく車だけでなく事務室、家庭、売場などでもＤＶＲを使うことができる効果を有する。【００１３】  また、本発明によれば、ＤＶＲの実行動作によって差等的にバッテリー電源を供給する消費電力節減技術を採用することでバッテリー電源だけで長期間周辺環境の監視及び車損傷や盗難事故に関する映像記録が可能で長期間駐車の時発生する車損傷や盗難事故に対処する効果を有する。
【図面の簡単な説明】
【００１４】
【図１】本発明によるＤＶＲの消費電力節減システムの全体構成を示すブロック図、
【図２】本発明によるＤＶＲの消費電力節減システムで、電源部と電源及びシステムコントロール部の詳細構成を示す例示図、
【図３】本発明による電源部の電源入力と電源供給に関する構成を示す例示図、
【図４】本発明の他の実施例によるＤＶＲの消費電力節減システムで、電源部と電源及びシステムコントロール部の構成を示す例示図、
【図５】本発明によるＤＶＲの消費電力節減システムで、電源及びシステムコントロール部の動作流れ図、
【図６】本発明の他の実施例によるＤＶＲの消費電力節減システムで、電源及びシステムコントロール部の動作流れ図、
【図７】は本発明によるＤＶＲの消費電力節減方法で、ノーマルモードの動作流れに関する例示図、
【図８】本発明によるＤＶＲの消費電力節減方法で、節電モードの動作流れに関する例示図、
【図９】本発明によるＤＶＲの消費電力節減方法で、モーション感知機能をカメラから入力される映像データを利用しないで別途の外部センサーを利用する場合の節電モードの動作流れに関する例示図である。
【発明を実施するための形態】
【００１５】  以下、本発明の実施例について図面を参照して詳細に説明する。
【００１６】  図１は、本発明によるＤＶＲの消費電力節減システムの全体構成を示すブロック図である。ＤＶＲの消費電力節減システムは、外部電源（ＤＣ）又はバッテリー（１１）電源の入力を受けてＤＶＲを構成するそれぞれの装置に電源を供給する。ＤＶＲの装置構成とＤＶＲの各装置に電源供給を担当する装置構成について説明する。
【００１７】  ＤＶＲは、外部映像を入力するカメラ部（２０）、カメラ部（２０）から映像信号の入力を受けて動きが感知される場合映像信号を圧縮して保存する記録装置部（３０）、カメラ部（２０）と記録装置部（３０）に電源を供給する電源部（１２）、電源部（１２）の電源供給を制御する電源及びシステムコントロール部（１３）と、を含む。
【００１８】  記録装置部（３０）は、カメラ部（２０）から映像信号の入力を受けて映像データで圧縮するデータ圧縮部（３１）、映像データで動きを感知し又は外部センサーで環境変化を感知するモーション感知部（３２）、圧縮された映像データを記録する記録部（３３）と、を含む。
【００１９】  電源部（１２）は、外部電源（ＤＣ）とバッテリー（１１）電源の中でいずれか一つの電源の入力を受けるように構成されており、入力された電源の電圧レベルを電源及びシステムコントロール部（１３）によって制御する。電源及びシステムコントロール部（１３）は、電源部（１２）に入力された電源の電圧レベルと臨界レベルを比べて、その比較結果によって電源部（１２）がカメラ部（２０）と記録装置部（３０）に電源を供給するように制御する。
【００２０】  電源及びシステムコントロール部（１３）は、電源部（１２）がバッテリー（１１）電源の入力を受けて節電モードで動作して、予め設定された時間中システムにスタンバイモードに必要な電源だけ供給して、予め設定された時間が経過すればカメラ部（２０）、データ圧縮部（３１）、モーション感知部（３２）にバッテリー（１１）電源を供給する。カメラ部（２０）は外部映像を入力し、データ圧縮部（３１）はカメラ部（２０）の映像信号の入力を受けて映像データで圧縮し、モーション感知部（３２）は映像データで客体の動きを感知する。
【００２１】  記録装置部（３０）は、電源及びシステムコントロール部（１３）によってバッテリー（１１）電源が供給される時間中、モーション感知部（３２）で映像データについての客体の動きが感知されれば記録部（３３）にバッテリー（１１）電源を供給して予め設定された時間中映像データを記録する。
【００２２】  電源及びシステムコントロール部（１３）は、電源部（１２）が外部ＤＣ電源装置（車の場合は車の始動がかかった状態）から電源（ＤＣ）を供給受ければノーマルモードで動作してカメラ部（２０）と記録装置部（３０）に外部電源（ＤＣ）を供給してバッテリー（１１）に充電電源を供給する。記録装置部（３０）は、毎周期ごとにモーション感知部（３２）で動きが感知されるかどうかを判断して、動きが感知されれば記録部（３３）にカメラ部（２０）によって撮影されて生成された映像データを保存するように制御する。
【００２３】  図２は、本発明によるＤＶＲの消費電力節減システムで電源部と電源及びシステムコントロール部の詳細構成を示す例示図である。ＤＶＲの消費電力節減システムにおいて、外部電源（ＤＣ）又はバッテリー（１１）電源の入力を受ける電源部（１２）と電源部（１２）に入力される電源の種類によって制御信号を出力する電源及びシステムコントロール部（１３）の装置構成について説明する。
【００２４】  電源部（１２）は、外部電源（ＤＣ）の入力によってバッテリー（１１）を充電するかを選択するバッテリー充電選択スイッチ（Ｓ１）と、外部電源（ＤＣ）又はバッテリー（１１）電源を出力する電源出力選択スイッチ（Ｓ２）を含む。電源部（１２）は、外部電源（ＤＣ）の出力端子とバッテリー（１１）電源の出力端子をそれぞれ電源及びシステムコントロール部（１３）でのアナログ／デジタルコンバータの入力端子に連結し、電源及びシステムコントロール部（１３）によって外部電源（ＤＣ）とバッテリー（１１）電源の電圧レベルを測定する。
【００２５】  電源及びシステムコントロール部（１３）は、外部電源（ＤＣ）とバッテリー（１１）電源の電圧レベルを測定して測定結果によって電源部（１２）のバッテリー充電選択スイッチ（Ｓ１）と電源出力選択スイッチ（Ｓ２）にスイッチング制御信号（ＣＴＬ１）を出力する。電源及びシステムコントロール部（１３）は、電源部（１２）にスイッチング制御信号（ＣＴＬ１）を出力してバッテリー充電、システムの電源ソース外部電源（ＤＣ）又はバッテリー（１１）電源の出力を制御する。
【００２６】  電源及びシステムコントロール部（１３）は、外部電源（ＤＣ）又はバッテリー（１１）電源の電圧レベルによってシステムがノーマルモード又は節電モードで動作するかを決めて記録装置部（３０）に電源制御信号（ＣＴＬ２）を出力する。
【００２７】  図３は、本発明による電源部の電源入力と電源供給に関する構成を示す例示図である。電源部（１２）が外部電源（ＤＣ）を入力受ける時ＤＶＲを構成するそれぞれの装置に外部電源（ＤＣ）を供給する。ＤＶＲで電源部（１２）の構成と電源部（１２）から出力される電源の入力を受ける装置構成について説明する。
【００２８】  電源部（１２）が外部電源（ＤＣ）の入力を受ければ、バッテリー充電選択スイッチ（Ｓ１）電源及びシステムコントロール部（１３）によって制御されて外部電源（ＤＣ）がバッテリー（１１）に供給されてバッテリー（１１）を充電するようにする。そして外部電源（ＤＣ）が電源部（１２）に入力されれば、電源出力選択スイッチ（Ｓ２）が電源及びシステムコントロール部（１３）によって制御されて外部電源（ＤＣ）がカメラ部と記録装置部（４０）に供給される。
【００２９】  カメラ部（２０）は、外部電源（ＤＣ）の入力を受けて動作可能状態に進入して外部環境を撮影して映像信号を記録装置部（３０）に出力する。記録装置部（３０）は、外部電源（ＤＣ）の入力を受けてモーション感知部（３２）、データ圧縮部（３１）、記録部（３３）に供給してモーション感知及び映像記録の動作可能状態に進入する。これによって記録装置部（３０）のデータ圧縮部（３１）はカメラ部（２０）から映像信号の入力を受けて映像データを圧縮して、モーション感知部（３２）は映像データで客体の動きを感知し、記録部（３３）はモーション感知部（３２）によって客体の動きが感知されれば映像データを保存媒体に記録する。
【００３０】  図４は、本発明の他の実施例によるＤＶＲの消費電力節減システムで、電源部と電源及びシステムコントロール部の構成を示す例示図である。ＤＶＲの消費電力節減システムにおいて、電源部（５１）が電源を一つの電源ソースから供給受ける時電源及びシステムコントロール部（５２）がＤＶＲを構成するそれぞれの装置に電源を供給する構成について説明する。
【００３１】  電源部（５１）が外部電源又はバッテリー電源の中で一つの電源ソースから電源の供給を受ければ供給受ける電源の電圧レベルを測定しようと電源を電源及びシステムコントロール部（５２）で伝達する。電源及びシステムコントロール部（５２）は、電源をアナログ／デジタルコンバータによってデジタル電源値で変換して電源レベルによってカメラ部と記録装置部（５３）への電源供給を制御する。
【００３２】  電源及びシステムコントロール部（５２）は、動作モードに関する使用者の設定によって動作モードがノーマルモード又は節電モードに設定されて設定された動作モードによってカメラ部（２０）と記録装置部（３０）に電源を供給する。動作モードがノーマルモードの場合、電源及びシステムコントロール部（５２）はカメラ部（２０）と記録装置部（３０）に電源を供給し、動作モードが節電モードの場合には電源及びシステムコントロール部（５２）によってカメラ部（２０）と記録装置部（３０）に差等的に電源を供給して電源消耗を低めて長期間にわたって動作するようにする。
【００３３】  図５は、本発明によるＤＶＲの消費電力節減システムで電源及びシステムコントロール部の動作流れ図である。電源及びシステムコントロール部が電源部に供給される電源の属性を感知して、その感知結果によって電源部のスイッチを制御してシステムの動作モードを決めて動作する実施例について説明する。
【００３４】  電源及びシステムコントロール部は、初期セッティングで電源部のバッテリー充電選択スイッチをＢ端子に接続させて電源出力選択スイッチをＣ端子に接続させて、車エンジン始動スレッシュホールド電圧で１３．５ボルト（設定可能）を設定してシステム作動に必要な最小電圧で３．３ボルト（設定可能）を設定する（ＳＴ１１）。
【００３５】  電源及びシステムコントロール部は、外部電源の電圧が車エンジン始動スレッシュホールド電圧より大きければ（ＳＴ１２）、バッテリー充電選択スイッチをＡ端子に接続させてバッテリーを充電させ、電源出力選択スイッチをＣ端子に接続させて（ＳＴ１３）、外部電源がカメラ部と記録装置部に供給される。
【００３６】  電源及びシステムコントロール部は、外部電源をカメラ部と記録装置部に供給してシステムがノーマルモードで動作するようにする（ＳＴ１４）。ノーマルモードの詳細動作については図７によって説明する。
【００３７】  電源及びシステムコントロール部は、外部電源が供給されないでバッテリー電源の電圧がシステム作動に必要な最小電圧より大きければ（ＳＴ１５）、バッテリー充電選択スイッチをＢ端子に接続させ、バッテリー充電を中断させて電源出力選択スイッチをＤ端子に接続させて（ＳＴ１６）、バッテリー電源がカメラ部と記録装置部に供給される。
【００３８】  電源及びシステムコントロール部は、バッテリー電源をカメラ部と記録装置部に供給してシステムが節電モードで動作するようにする（ＳＴ１７）。節電モードの詳細動作については図８によって説明する。
【００３９】  電源及びシステムコントロール部は、外部電源とバッテリー電源がすべて消耗した場合、システムに供給される電源をすべて遮断させてシステムの動作を止める（ＳＴ１８）。
【００４０】  図６は、本発明の他の実施例によるＤＶＲの消費電力節減システムで、電源及びシステムコントロール部の動作流れ図である。電源ソースが一つ場合、電源及びシステムコントロール部が外部操作によって動作モードを設定して設定された動作モードであるノーマルモード又は節電モードで動作するように制御する実施例について説明する。
【００４１】  電源及びシステムコントロール部は、電源ソースが一つ場合、外部操作によって動作モードがノーマルモード又は節電モードに設定されるかどうかを感知し、システム作動に必要な最小電圧（ｖ）である３．３ボルト（設定可能）に設定する（ＳＴ２１）。
【００４２】  電源及びシステムコントロール部は、電源ソースの電圧がシステム作動に必要な最小電圧（ｖ）より大きくて（ＳＴ２２）、動作モードがノーマルモードに設定された場合（ＳＴ２４）、システムがノーマルモードで作動するようにする（ＳＴ２５）。
【００４３】  電源及びシステムコントロール部は、電源ソースの電圧がシステム作動に必要な最小電圧（ｖ）より大きくて動作モードが節電モードに設定された場合、システムが節電モードで作動するようにする（ＳＴ２６）。
【００４４】  電源及びシステムコントロール部は、電源ソースの電圧がシステム作動に必要な最小電圧（ｖ）より小さければシステムに供給される電源をすべて遮断させてシステム動作を中止する（ＳＴ２３）。
【００４５】  図７は、本発明によるＤＶＲの消費電力節減方法で、ノーマルモードの動作流れに関する例示図である。ＤＶＲの消費電力節減方法において、電源及びシステムコントロール部が、システムがノーマルモードで動作することを決めて記録装置部がノーマルモードで動作する時の一連の動作流れについて次に説明する。
【００４６】  記録装置部は、システム電源をオンさせてファイルの記録時間（ｘ）を１２０秒にセッティングしてモーション感知プロセスを遂行する（ＳＴ３１）。モーション感知プロセスは、カメラ部と記録装置部に電源が供給された状態でカメラ部によって撮影された映像信号を記録装置部から映像データで変換して、映像データに含まれた客体の動きが感知されるかどうかを判断する動作である。
【００４７】  記録装置部は、モーション感知プロセスの実行結果映像データで客体の動きが感知されれば（ＳＴ３２）ファイルの記録時間（ｘ）中映像データを保存媒体に記録する（ＳＴ３３−ＳＴ３５）。ファイルの記録時間（ｘ）が経過すれば記録装置部は映像データの記録を中止する（ＳＴ３６）。
【００４８】  記録装置部は、モーション感知プロセスを行って映像データに含まれた客体の動きが感知されなければ、システム電源をオンさせてファイルの記録時間（ｘ）を１２０秒にセッティングしてモーション感知プロセスを更に遂行する。
【００４９】  図８は、本発明によるＤＶＲの消費電力節減方法で節電モードの動作流れに関する例示図である。ＤＶＲの消費電力節減方法において、電源及びシステムコントロール部が、システムが節電モードで動作することを決めて電源及びシステムコントロール部と記録装置部が節電モードで動作する時の一連の動作流れについて次に説明する。
【００５０】  電源及びシステムコントロール部は、システムにスタンバイモードに必要な電源だけ供給して待機電力が最小で維持されるスタンバイモードで動作を始めて、動作モードをスタンバイモードで維持する時間（Ｘ）をセッティングする（ＳＴ４１）。電源及びシステムコントロール部は、動作モードをスタンバイモードで維持する時間（Ｘ）をチェックして、時間が“０”なら動作モードを節電モード２で設定して、時間が“１”以上ならスタンバイモード維持時間中スタンバイモードを維持する（ＳＴ４２−ＳＴ４４）。
【００５１】  スタンバイモード維持時間（Ｘ）が経過すれば、電源及びシステムコントロール部は、カメラ部、データ圧縮部、モーション感知部に電源を供給する（ＳＴ４５）。電源及びシステムコントロール部の電源供給によって、記録装置部はモーション感知プロセスを遂行してファイルの記録時間（ｘ）をセッティングする。
【００５２】  記録装置部は、モーション感知プロセスの実行結果映像データに含まれた客体の動きが感知されるかどうかを判断して、客体の動きが感知されれば（ＳＴ４６）記録部に電源を供給して、ファイルの記録時間（ｘ）中映像データを保存媒体に保存する動作を行う（ＳＴ４６−ＳＴ４９）。
【００５３】  ファイルの記録時間（ｘ）が経過すれば、記録装置部は映像データの保存動作を中止して（ＳＴ５０）モーション感知プロセスをまた遂行して映像データに含まれた客体の動きが感知されるかどうかを判断して、客体の動きが感知されなければシステムにスタンバイモードに必要な電源だけ供給してスタンバイモードに進入する。
【００５４】  図９は、本発明によるＤＶＲの消費電力節減方法で、モーション感知機能をカメラから入力される映像データを利用しないで別途の外部センサーを利用する場合の節電モード２の動作流れに関する例示図である。ＤＶＲの消費電力節減方法において、電源及びシステムコントロール部が、システムが節電モードで動作することを決めて電源及びシステムコントロール部と記録装置部が節電モードで動作する時スタンバイモード維持時間（Ｘ）を“０”（別途の外部センサーを利用する場合）で設定する場合節電モード２で動作する。この節電モード２の一連の動作流れについて次に説明する。
【００５５】  電源及びシステムコントロール部は、モーション感知部に電源を供給してモーション感知部を活性化させる（ＳＴ５１）。電源及びシステムコントロール部はモーション感知部の動きが感知されるかどうかを判断して、動きが感知されれば（ＳＴ５２）、カメラ部、データ圧縮部、記録部に電源を供給してカメラ部、データ圧縮部、記録部を活性化させる（ＳＴ５３）。記録装置部は、ファイルの記録時間（ｘ）中映像データを保存媒体に保存する動作を行う（ＳＴ５４−ＳＴ５６）。
【００５６】  ファイルの記録時間（ｘ）が経過すれば、記録装置部は映像データの保存動作を中止して（ＳＴ５７）節電モード２に進入する。本発明ＤＶＲの消費電力節減システム及び方法は、消費電力を下記のように減らしてＤＶＲの動作時間を増やす。
【００５７】  ノーマルモードの消費電力が１Ｗであるシステムのスタンバイモード（システムが外部制御信号を入力受けて機動することができる最小のブロックだけ電源を供給する状態）で電力が１００ｍＷの場合、スタンバイモード設定時間が３０秒でスタンバイモードからノーマルモードで転換後動き感知までかかる時間を１秒と仮定する場合システムの消費電力は次の通りである。
【００５８】  平均消費電力＝（３０秒ｘ１００ｍＷ＋１秒ｘ１ｗ）／３１秒＝４Ｗ／３１秒
＝１２９ｍＷ
【００５９】  従って、１Ｗの消費電力が１２９ｍＷに減ってバッテリー電源で駐車場での長期間駐車監視モード及び家庭での長期間防犯機能が可能になる。ここでシステムにおいて、スタンバイモードの消費電力を減らすとかスタンバイモードからノーマルモードで転換後動き感知までかかる時間を減らせば減るほど平均消費電力は減るようになってさらに長期間システム動作が可能になる。
【００６０】  以上、実施例により本発明を詳細に説明したが、本発明は必ずこのような実施例で限らず本発明の技術思想を脱しない範囲内で多様に変形実施されることができる。本発明に示された実施例は、本発明の技術思想を限定するためではなく説明するためのものであり、このような実施例によって本発明の技術思想の範囲が限定されない。本発明の保護範囲は請求範囲によって解釈されなければならないし、それと同等な範囲内にあるすべての技術思想は本発明の権利範囲に含まれると解釈されなければならない。
【符号の説明】
【００６１】１１      ．．．  バッテリー
１２      ．．．  電源部
１３      ．．．  電源及びシステムコントロール部
２０      ．．．  カメラ部
３０      ．．．  記録装置部
３１      ．．．  データ圧縮部
３２      ．．．  モーション感知部
３３      ．．．  記録部
４０      ．．．  記録装置部
５１      ．．．  電源部
５２      ．．．  電源及びシステムコントロール部
５３      ．．．  記録装置部
ＣＴＬ１  ．．．  スイッチング制御信号
ＣＴＬ２  ．．．  電源制御信号
ＤＣ      ．．．  外部電源
Ｓ１      ．．．  バッテリー充電選択スイッチ
Ｓ２      ．．．  電源出力選択スイッチ
ｖ１      ．．．  車エンジンスタートスレッシュホールド電圧
ｖ２      ．．．  システム作動に必要な最小電圧
Ｘ        ．．．  スタンバイモード維持時間
ｘ        ．．．  ファイルの記録時間
【図１】
2011078086.tif 000003
【図２】
2011078086.tif 000004
【図３】
2011078086.tif 000005
【図４】
2011078086.tif 000006
【図５】
2011078086.tif 000007
【図６】
2011078086.tif 000008
【図７】
2011078086.tif 000009
【図８】
2011078086.tif 000010
【図９】
2011078086.tif 000011